(57)【要約】      （修正有）【課題】削減熱量を算出するための流量を、流量センサからの出力に応じて高精度かつ応答性よく算出する手法を提供する。【解決手段】削減熱量算出装置における流量算出部５４ｆは、流量センサからの検出信号に基づいて、単位パルスを一つ以上含む所定のサンプリングパルスに関する時間をサンプリング時間（ｔ）として計測する。そして、流量算出部５４ｆは、サンプリング時間（ｔ）と、サンプリングパルスに含まれる単位パルスの数とに基づいて、単位時間あたりのパルス数を演算する。そして、流量算出部５４ｆは、単位時間あたりのパルス数より、流量Ｑを算出している。【選択図】図３
2013036711.tif 000002
【特許請求の範囲】
【請求項１】
供給される水を加熱して予熱温水とする太陽熱温水器と、供給される水及び前記太陽熱温水器から供給される予熱温水の少なくとも一方を加熱する給湯器と、を有する太陽熱給湯システムに用いられ、前記太陽熱温水器から供給される予熱温水及び当該予熱温水と冷水とが混合された混合水の少なくとも一方を検出対象水とし、当該検出対象水の流量に応じた出力を行う流量センサと、前記太陽熱温水器により加熱される前の水温を検出する第１温度センサと、前記検出対象水の温度を検出する第２温度センサと、前記第１温度センサ及び前記第２温度センサからの信号値並びに前記流量センサの出力に応じて算出された流量に基づき、前記太陽熱温水器の加熱によって前記給湯器における加熱の際に削減できた削減熱量を算出する削減熱量算出装置において、
液体の流量に応じたパルスを出力する前記流量センサの出力に基づいて、パルス一周期に対応する単位パルスを一つ以上含む所定のサンプリングパルスに関する時間をサンプリング時間として計測する計測手段と、
前記計測手段により計測されたサンプリング時間に基づいて単位時間あたりのパルス数を演算することにより、前記液体の流量を算出する演算手段と
を有することを特徴とする削減熱量算出装置。
【請求項２】
前記計測手段は、前記パルスの立ち上がりエッジを前記単位パルスの始点として、前記サンプリング時間を計測することを特徴とする請求項１に記載された流削減熱量算出装置
【請求項３】
供給される水を加熱して予熱温水とする太陽熱温水器と、供給される水及び前記太陽熱温水器から供給される予熱温水の少なくとも一方を加熱する給湯器と、を有する太陽熱給湯システムに用いられ、前記太陽熱温水器から供給される予熱温水及び当該予熱温水と冷水とが混合された混合水の少なくとも一方を検出対象水とし、当該検出対象水の流量に応じた出力を行う流量センサと、前記太陽熱温水器により加熱される前の水温を検出する第１温度センサと、前記検出対象水の温度を検出する第２温度センサと、前記第１温度センサ及び前記第２温度センサからの信号値並びに前記流量センサの出力に応じて算出された流量に基づき、前記太陽熱温水器の加熱によって前記給湯器における加熱の際に削減できた削減熱量を算出する削減熱量算出装置において、前記流量センサの出力に応じて流量を算出する流量算出方法であって、
液体の流量に応じたパルスを出力する前記流量センサの出力をモニタリングする第１のステップと、
パルス一周期に対応する単位パルスを一つ以上含む所定のサンプリングパルスに関する時間をサンプリング時間として計測する第２のステップと、
計測されたサンプリング時間に基づいて単位時間あたりのパルス数を演算する第３のステップと、
前記単位時間あたりのパルス数に基づいて、液体の流量を検出する第４のステップと
を有することを特徴とする流量算出方法。
【発明の詳細な説明】
【技術分野】
【０００１】
本発明は、削減熱量算出装置及び流量算出方法に関する。
【背景技術】
【０００２】
近年、地球温暖化の影響の顕在化などを背景に、自然エネルギー、特に、太陽エネルギーの利用が推進されており、例えば、太陽熱給湯システムなどが知られている（例えば、特許文献１参照）。また、このような太陽熱エネルギーの利用拡大を期待するために、例えばグリーン熱証書といったように、太陽熱給湯システムにより削減できた熱量の環境価値を証書化する仕組みが構築されている。熱量の証書化にあたっては熱量を計量することが求められるが、計量器の要件としては、法定計量器である積算熱量計であることが定められている。
【０００３】
ところで、この法定計量器は、高価であるとともに、検定による使用期限が義務付けられており、これが太陽熱給湯システムの耐用年数と異なっていることもあり、普及促進の弊害となっていた。そこで、計量検定を取得していない安価な流量センサを利用して流量を算出し、これに基づいて熱量を計量することで、システム全体のコストダウンを図る手法が提案されている。
【先行技術文献】
【特許文献】
【０００４】
【特許文献１】特開２００３−２７９１４４号公報
【発明の概要】
【発明が解決しようとする課題】
【０００５】
しかしながら、従来の手法によれば、流量センサの出力に応じて流量を算出するものの、特に低流量域では、算出される流量の精度が低くなってしまう場合がある。そのため、計量検定を取得したものと同等の精度で流量を算出することが望まれていた。この点、１回の流量算出に要する時間を十分に確保することで、算出精度の向上を図ることとはできるものの、流量を得るための算出周期が長期化する傾向となり、応答性に劣るという問題を招来する可能性がある。
【０００６】
本発明はかかる事情に鑑みてなされたものであり、その目的は、削減熱量を算出するための流量を、流量センサからの出力に応じて高精度かつ応答性よく算出する手法を提供することである。
【課題を解決するための手段】
【０００７】
かかる課題を解決するために、第１の発明は、供給される水を加熱して予熱温水とする太陽熱温水器と、供給される水及び太陽熱温水器から供給される予熱温水の少なくとも一方を加熱する給湯器と、を有する太陽熱給湯システムに用いられ、太陽熱温水器から供給される予熱温水及び当該予熱温水と冷水とが混合された混合水の少なくとも一方を検出対象水とし、当該検出対象水の流量に応じた出力を行う流量センサと、太陽熱温水器により加熱される前の水温を検出する第１温度センサと、検出対象水の温度を検出する第２温度センサと、第１温度センサ及び第２温度センサからの信号値並びに流量センサの出力に応じて算出された流量に基づき、太陽熱温水器の加熱によって給湯器における加熱の際に削減できた削減熱量を算出する削減熱量熱算出装置を提供する。この削減熱量算出装置は、流路を流れる液体の流量に応じたパルスを出力する流量センサの出力に基づいて、パルス一周期に対応する単位パルスを一つ以上含む所定のサンプリングパルスに関する時間をサンプリング時間として計測する計測手段と、計測手段により計測されたサンプリング時間に基づいて単位時間あたりのパルス数を演算することにより、液体の流量を算出する演算手段とを有する。
【０００８】
また、第１の発明において、計測手段は、パルスの立ち上がりエッジを単位パルスの始点として、サンプリング時間を計測してもよい。
【０００９】
また、第２の発明は、供給される水を加熱して予熱温水とする太陽熱温水器と、供給される水及び太陽熱温水器から供給される予熱温水の少なくとも一方を加熱する給湯器と、を有する太陽熱給湯システムに用いられ、太陽熱温水器から供給される予熱温水及び当該予熱温水と冷水とが混合された混合水の少なくとも一方を検出対象水とし、当該検出対象水の流量に応じた出力を行う流量センサと、太陽熱温水器により加熱される前の水温を検出する第１温度センサと、検出対象水の温度を検出する第２温度センサと、第１温度センサ及び第２温度センサからの信号値並びに流量センサの出力に応じて算出された流量に基づき、太陽熱温水器の加熱によって給湯器における加熱の際に削減できた削減熱量を算出する削減熱量算出装置において、流量センサの出力に応じて流量を算出する流量算出方法を提供する。この流量算出方法は、液体の流量に応じたパルスを出力する流量センサの出力をモニタリングする第１のステップと、パルス一周期に対応する単位パルスを一つ以上含む所定のサンプリングパルスに関する時間をサンプリング時間として計測する第２のステップと、計測されたサンプリング時間に基づいて単位時間あたりのパルス数を演算する第３のステップと、単位時間あたりのパル数に基づいて、液体の流量を検出する第４のステップとを有する。
【発明の効果】
【００１０】
本発明によれば、サンプリングパルスに関するサンプリング時間を計測することにより、単位時間あたりのパルス数を高い分解能で求めることができる。これにより、単位パルスの重みに左右されることなく、液体の流量を精度よく算出することができる。また、サンプリングパルスは、一つ以上の単位パルスを含んでいればよいため、サンプリング時間の計測は短くても足り、また、整数倍の個数の単位パルスを含むサンプリングパルスの時間を計測しているため、単位パルスの重みが影響するといった事態もない。これにより、削減熱量を算出するための流量を高精度かつ応答性よく算出することができる。
【図面の簡単な説明】
【００１１】
【図１】本実施形態にかかる削減熱量算出装置を含む太陽熱給湯システム１の構成を模式的に示す説明図
【図２】削減熱量算出装置の構成を示すブロック図
【図３】削減熱量算出装置のＭＰＵの構成を機能的に示す説明図
【図４】本実施形態にかかる流量算出に関する一連の手順を示すフローチャート
【図５】本実施形態にかかる流量算出処理を模式的に示す説明図
【図６】従来手法による流量算出処理を模式的に示す説明図
【図７】変形例に係る削減熱量算出装置を含む太陽熱給湯システムの構成図
【発明を実施するための形態】
【００１２】
図１は、本実施形態にかかる削減熱量算出装置５を含む太陽熱給湯システム１の構成を模式的に示す説明図である。太陽熱給湯システム１は、水道管１１と、冷水管１２と、温水管１３と、混合水管１４と、加熱水管１５とを備えている。さらに、太陽熱給湯システム１は、太陽熱温水器２と、混合弁３と、給湯器４とを備えている。
【００１３】
水道管１１は、台所、洗面所、風呂、トイレ等の住宅用水道器具の各々に水を供給するものである。また、水道管１１は、分岐されており、分岐箇所に冷水管１２が接続されている。冷水管１２は、水道管１１を介して流れてくる冷水を太陽熱温水器２まで導くものである。
【００１４】
太陽熱温水器２は、集熱器２１と熱媒配管２２と貯湯槽２３とを有している。集熱器２１は、日当たりの良い住宅の屋根などに設置され太陽熱を取り込んで熱媒を温めるものである。また、熱媒配管２２は、集熱器２１と貯湯槽２３とを接続するものであり内部に熱媒が流れる構成となっている。熱媒は熱媒配管２２を介して集熱器２１と貯湯槽２３とを循環する。貯湯槽２３は、冷水管１２からの冷水を導入すると共に、熱媒配管２２を通じて流れてくる暖められた熱媒により冷水を加熱して予熱温水とし、貯湯しておくものである。
【００１５】
温水管１３は、貯湯槽２３からの予熱温水を給湯器４側に供給するための配管である。この温水管１３の終端には混合弁３が設置されており、温水管１３からの予熱温水は混合弁３の温水流入口３１から混合弁３に供給される。また、冷水管１２は接続点Ａにて分岐しており、冷水管１２からの冷水は混合弁３の冷水流入口３２を介して混合弁３に供給可能となっている。混合弁３は、後述の如く流入する予熱温水と冷水とを混ぜて混合水とする。
【００１６】
混合水管１４は、混合弁３の混合水流出口３３と給湯器４とを接続する配管であり、混合水はこの配管１４を介して混合弁３から給湯器４に供給される。なお、本実施形態において混合弁３は、混合水の温度が所定の温度となるように、温水と冷水との混合割合を自動的に調整する自動温度調節機能付湯水混合弁であるが、混合弁３の構成はこれに限られるものではない。
【００１７】
給湯器４は、例えば、ガスバーナと熱交換器とを備えており、利用者等によって定められた温度の加熱水（即ち、湯）を生成するものである。この給湯器４は、住宅に設けられた給湯器用リモコン等と接続されており、給湯器用リモコン等から受信する制御信号に基づいて、例えば、電源オン、電源オフ、及び、生成する湯の温度が設定される。
【００１８】
加熱水管１５は、給湯器４と給湯側であるシャワー口等とを接続する配管である。給湯器４にて暖められた加熱水は、この加熱水管１５を介して利用者等に供給されることとなる。
【００１９】
以上の構成により、太陽熱給湯システム１は、水道管１１からの冷水を太陽熱を利用した太陽熱温水器２によって予熱温水とし、これを給湯器４に供給するので給湯器４にて使用される燃料費や排出される二酸化炭素量等を削減することができる。
【００２０】
次に、本実施形態に係る削減熱量算出装置５について説明する。削減熱量算出装置５は、太陽熱温水器２の利用によって削減された熱量を算出して積算表示するものであって、第１温度センサ５１と、第２温度センサ５２と、流量センサ５３と、演算表示器５４と、家内表示器５５とを備えている。なお、削減熱量算出装置５は、熱量に加えて、ガス料金や二酸化炭素排出量を算出して積算表示する機能を備えていてもよい。
【００２１】
第１温度センサ５１は、冷水管１２に配置され、太陽熱温水器２により加熱される前の水温、すなわち冷水の温度を検出するものである。第２温度センサ５２は、温水管１３に配置され、太陽熱温水器２により加熱されてから給湯器４に供給されるまでの配管内（すなわち温水管１３内）の予熱温水の温度を検出するものである。
【００２２】
流量センサ５３は、温水管１３に配置され、太陽熱温水器２から給湯器４に供給された予熱温水の流量を検出するものである。流量センサ５３は、例えば羽根車式のものであり、予熱温水が流れてくることにより羽根車が回転し、この回転数に応じた数のパルスを出力する構成となっている。なお、以下において流量センサ５３は羽根車式のものとして説明するが、これに限らず、流量センサ５３は他の構成のものであってもよい。
【００２３】
演算表示器５４は、太陽熱温水器２の利用により削減された熱量や二酸化炭素量を演算して積算表示する機能を有したものである。なお、表示機能に関しては、家内表示器５５にも搭載されており、削減された熱量や二酸化炭素量は、演算表示器５４及び家内表示器５５に表示されることとなる。
【００２４】
図２は、本実施形態に係る演算表示器５４を示す構成図である。図２に示すように、演算表示器５４は、マイクロプロセッサ（ＭＰＵ）５４ａを備えている。ＭＰＵ５４ａは、予め定められたプログラムに従って動作するものであり、ＣＰＵ５４ａ１と、ＲＯＭ５４ａ２と、ＲＡＭ５４ａ３とを備えている。
【００２５】
ＣＰＵ５４ａ１は、予め定めたプログラムに従って各種の処理や制御などを実行するものである。ＲＯＭ５４ａ２は、ＣＰＵ５４ａ１にて実行するプログラム等を格納した読み出し専用のメモリである。ＲＡＭ５４ａ３は、各種のデータを格納すると共にＣＰＵ５４ａ１の処理作業に必要なエリアを有する読み出し書き込み自在のメモリである。
【００２６】
また、本実施形態においてＲＯＭ５４ａ２には、太陽熱温水器２の利用により削減された熱量、燃料費及び二酸化炭素量を算出するためのプログラムが格納されている。このため、このプログラムを実行するＣＰＵ５４ａ１は、削減された燃料費や二酸化炭素量を算出することとなる。
【００２７】
さらに、削減熱量算出装置５は、メモリ部５４ｂと、表示部５４ｃと、インタフェース部５４ｄとを備えている。
【００２８】
メモリ部５４ｂは、電力供給が断たれた場合でも、格納された各種データの保持が可能な記録媒体であり、ＣＰＵ５４ａ１の処理作業に必要な各種格納エリアを有する電気的消去／書き換え可能なメモリ（ＥＥＰＲＯＭ）等が用いられる。
【００２９】
表示部５４ｃは、ＬＣＤ、ＬＥＤ等が用いられ、例えば、削減熱量算出装置５の本体部に利用者等が目視可能に設けられている。この表示部５４ｃは、ＣＰＵ５４ａ１により算出された削減熱量、削減二酸化炭素量、及び削減燃料費等の各種表示を行う。なお、本実施形態において表示部５４ｃは、野外に設置された削減熱量算出装置５の本体部に設けられているが、これに限らず、家内表示器５５のように家内に設けられてもよい。
【００３０】
インタフェース部５４ｄは、第１及び第２温度センサ５１，５２や流量センサ５３と電気的に接続されており、各種センサ５１〜５３とＭＰＵ５４ａとの交信を可能としたものである。
【００３１】
図３は、図１及び図２に示した演算表示器５４の機能ブロック図である。図３に示すように、演算表示器５４は、相関データ記憶部５４ｅと、流量演算部５４ｆと、削減熱量算出部５４ｇとを備えている。
【００３２】
相関データ記憶部５４ｅは、流量センサ５３から得られた出力（本実施形態ではパルス数）と流量との相関データを記憶したものである。具体的に相関データ記憶部５４ｅは、流量センサ５３から得られたパルス数から流量を算出するための算出式を相関データとして記憶している。
【００３３】
流量算出部５４ｆは、流量センサ５３から出力が得られた場合に、相関データ記憶部５４ｅにより記憶された相関データに基づいて、予熱温水の流量Ｑを算出するものである。
【００３４】
削減熱量算出部５４ｇは、太陽熱温水器２の利用により削減された熱量、二酸化炭素量、及び燃料費等の各種削減熱量を算出するものである。具体的に削減熱量算出部５４ｇは、流量算出部５４ｆにより算出された流量Ｑと、第１温度センサ５１により検出された冷水の温度と、第２温度センサ５２により検出された予熱温水の温度とから、削減された熱量を算出する。また、削減熱量算出部５４ｇは、削減熱量と給湯効率や燃料単価とから削減燃料費を算出する。同様に、削減熱量算出部５４ｇは、削減熱量と給湯効率や単位燃料当たりの二酸化炭素発生量とから、削減二酸化炭素量を算出する。
【００３５】
本実施形態の特徴の一つは、流量算出部５４ｆによる流量Ｑに関する算出方法にあり、以下、その詳細な動作内容について説明する。流量算出部５４ｆは、これを機能的に捉えた場合、計測手段５４ｆ１と、演算手段５４ｆ２とを有している。計測手段５４ｆ１は、流量センサ５３の出力である検出信号に基づいて、パルス一周期に対応する単位パルスを一つ以上含む所定のサンプリングパルスに関する時間をサンプリング時間として計測する。演算手段５４ｆ２は、計測されたサンプリング時間に基づいて単位時間あたりのパルス数を演算することにより、予熱温水の流量Ｑを演算する。
【００３６】
図４は、本実施形態にかかる流量算出に関する一連の手順を示すフローチャートである。このフローチャートに示す処理は、所定の周期で呼び出され、ＭＰＵ５１（流量算出部５４ｆ）によって実行される。
【００３７】
まず、ステップ１（Ｓ１）において、流量算出部５４ｆは、流量センサ５３からの検出信号のモニタリングを開始し、パルスの立ち上がりエッジがあったか否かを判断する。本実施形態では、流量算出部５４ｆが、単位パルスの始点としてパルスの立ち上がりエッジを利用するため、本ステップ１により、立ち上がりエッジの有無が判断される。このステップ１において肯定判定された場合、すなわち、パルスの立ち上がりエッジがあった場合には、ステップ２（Ｓ２）に進む。一方、ステップ１において否定判定された場合、すなわち、パルスの立ち上がりエッジがない場合には、再度ステップ１の判断を行う。
【００３８】
ステップ２（Ｓ２）において、流量算出部５４ｆは、タイマなどを利用して、時間計測を開始する。すなわち、このステップ２により、１番目に現れた単位パルスの始点（立ち上がりエッジ）が現れたことをトリガーとして、時間計測がスタートする。
【００３９】
ステップ３（Ｓ３）において、流量算出部５４ｆは、モニタリング中の検出信号においてパルスの立ち上がりエッジが現れた場合には、それをエッジ数としてカウントする。なお、ステップ１において判断された立ち上がりエッジを当該エッジ数に含めることとし、エッジ数をカウントするカウンタの初期値は「０」とする。そして、このステップ３において立ち上がりエッジが判断された場合には、当該カウンタが「１」だけインクリメントされる。
【００４０】
ステップ４（Ｓ４）において、流量算出部５４ｆは、カウントしたエッジ数が規定値ｎに到達したか否かを判断する。規定値ｎは、カウントしたエッジ数、すなわち、検出信号に現れる単位パルスの数が予め設定されたサンプリングパルスと対応する数に到達したか否かを判断するための値である。サンプルリングパルスは、少なくとも一つの単位パルス、すなわち、整数倍の個数の単位パルスを含むものとして、実験やシミュレーションを通じて、最適値が予め設定されている。
【００４１】
ステップ４において肯定判定された場合、すなわち、カウントしたエッジ数が規定値ｎに到達した場合には、ステップ５（Ｓ５）に進む。一方、ステップ４において否定判定された場合、すなわち、カウントしたエッジ数が規定値ｎに到達していない場合には、ステップ３の処理に戻る。
【００４２】
ステップ５において、流量算出部５４ｆは、時間計測を終了する。これにともない、流量算出部５４ｆは、ステップ２により時間計測を開始してから、本ステップ５により時間計測を終了するまでの時間を、サンプリングパルスに関する時間（以下「サンプリング時間」という）として特定する。
【００４３】
ステップ６（Ｓ６）において、流量算出部５４ｆは、サンプリング時間と、サンプリングパルスを構成する単位パルスの数とに基づいて、単位時間あたりのパルス数を算出する。具体的には、単位時間あたりのパルス数は、サンプリングパルスを構成する単位パルスの数をサンプリング時間で除算することにより算出される。
【００４４】
ステップ７（Ｓ７）において、流量算出部５４ｆは、単位時間あたりのパルス数に基づいて、流量Ｑを算出する。流量算出部５４ｆは、相関データ記憶部５４ｅが記憶する相関データ（例えば、単位時間あたりのパルス数と、流量との対応関係を規定したマップ又は演算式）を参照し、当該単位時間あたりのパルス数から流量Ｑを一義的に算出するといった如くである。
【００４５】
このように本実施形態において、流量算出部５４ｆは、図５に示すように、流量センサ５３からの検出信号に基づいて、単位パルスを一つ以上含む所定のサンプリングパルスに関する時間をサンプリング時間（ｔ）として計測する（計測手段５４ｆ１）。例えば、同図では、サンプリングパルスは単位パルスを３つ含んで構成されている。そして、流量算出部５４ｆは、サンプリング時間（ｔ）と、サンプリングパルスに含まれる単位パルスの数とに基づいて、単位時間あたりのパルス数を演算する（演算手段５４ｆ２）。そして、流量算出部５４ｆは、単位時間あたりのパルス数より、予熱温水の流量Ｑを算出している（演算手段５４ｆ２）。
【００４６】
図６は、従来手法による流量算出の概念を示す説明図である。従来手法によれば、パルスの立ち上がりエッジをトリガーとして時間計測を開始すると、予め規定された一定時間Ｔｓ内に現れるパルスの立ち上がりエッジの数Ｃｐをカウントする。そして、一定時間Ｔｓと、カウントしたエッジ数（パルス数）Ｃｐとに基づいて、単位時間あたりのパルス数を演算し、これにより、流量が算出される。
【００４７】
流量センサから出力される検出信号（時系列的なパルス列）において、低流量域では高流量域と比較して、単位時間あたりに含まれるパルス数が少ないこととなる。そのため、前述の一定時間Ｔｓを大きく確保しないと、単位パルスあたりの重みが増し、流量の算出精度が低下するという虞がある。例えば、１秒間に１０個の単位パルスが出力される場合、一定時間Ｔｓを１０秒とした場合には、単位パルスは、パルス全体の１％に相当するといった如くである。そのため、例えば、立ち上がりエッジをカウントした直後に一定時間Ｔｓが終了した場合であっても、その立ち上がりエッジが単位パルス相当としてカウントされてしまうため、単位パルスの重みの影響が大きい低流量域では、流量に誤差として反映されてしまうこととなる。この場合、一定時間Ｔｓを長く設定することで、単位パルスの重みを抑制することも考えられるが、１回あたりの流量算出の周期が長くなり、応答性が低下するという問題が生じる。
【００４８】
この点、本実施形態によれば、流量算出部５４ｆが、サンプリングパルスに相当するサンプリング時間（ｔ）を計測することにより、単位時間あたりのパルス数を高い分解能で求めることができる。これにより、単位パルスの重みの影響を受けることなく、流量Ｑを精度よく算出することができる。また、サンプリングパルスは、一つ以上の単位パルスを含んでいればよいため、サンプリング時間の計測は短くても足りる。また、整数倍の個数の単位パルスを含むサンプリングパルスの時間を計測しているため、その計測時間を従来手法に示す一定時間Ｔｓよりも短くした場合であっても、単位パルスの重みが影響するといった事態もない。こにより、削減熱量を算出するための流量Ｑを高精度かつ応答性よく算出することができる。
【００４９】
また、本実施形態において、流量算出部５４ｆは、パルスの立ち上がりエッジを単位パルスの起点として、サンプリング時間を計測している。かかる手法によれば、単位パルスを電気的な検出信号として適切に捉えることができるので、単位時間あたりのパルス数を精度よく求めることができる。
【００５０】
もっとも、単位パルスの起点は、パルスの立ち上がりエッジを用いずとも、パルスの立ち下がりエッジであってもよいし、パルス一周期のうちの定義可能な任意の点であってもよい。
【００５１】
なお、本実施形態に示す流量算出手法は、流量センサを用いて実際に流量を算出するシーンのみならず、例えば、流量センサの個体差を校正する校正時に利用することもできる。流量センサの構成時には、試験用の流路に流量センサを設置し、当該流路に規定の流量を流し、これに対応する流量センサからの出力に応じて流量を算出し、これを規定流量と比較することにより、校正データを得ることとなる。このような校正シーンにおいて、前述の流量算出の手法を適用することにより、流量を応答性よく算出することができ、また、これを精度よく検出することができる。これにより、一個の流量センサに関する適切な校正データを早期に得ることができるので、校正時における生産性の向上を図ることができる。
【００５２】
さらに、本実施形態において第２温度センサ５２及び流量センサ５３は、以下のように配置されていてもよい。図７は、変形例に係る削減熱量算出装置５を含む太陽熱給湯システム１の構成図である。
【００５３】
図７に示すように、第２温度センサ５２及び流量センサ５３は、混合弁３の下流側（より詳細には、混合弁３の下流側且つ給湯器４の上流側）に設けられていてもよい。この場合、流量センサ５３は、予熱温水と冷水とが混合された混合水を検出対象水とし、この検出対象水の流量に応じた出力を行うこととなる。さらに、第２温度センサ５２についても上記検出対象水の温度を検出することとなる。このように、図１に示した実施形態では太陽熱温水器２から供給される予熱温水を検出対象水とし、第２温度センサ５２及び流量センサ５３は、検出対象水である予熱温水の温度及び流量を検出していたが、特にこれに限らず、予熱温水と冷水とが混合された混合水を検出対象水として温度及び流量を検出してもよい。
【００５４】
なお、補足すると、変形例のように構成したとしても、削減された熱量の算出については問題なく行うことができる。以下、具体的に説明する。まず、予熱温水が検出対象水の場合、予熱温水の流量がＲ１であり温度がＴ１であるとし、冷水の温度がＴ２であるとすると、削減された熱量は、（Ｔ１−Ｔ２）・Ｒ１に基づいて算出される。
【００５５】
これに対して、混合水が検出対象水である場合、混合水の温度がＴ３であり流量がＲ３であるとすると、削減された熱量は、（Ｔ３−Ｔ２）・Ｒ３に基づいて算出される。ここで、Ｔ３＝{（Ｔ１・Ｒ１）＋（Ｔ２・Ｒ２）}／（Ｒ１＋Ｒ２）である。なお、Ｒ２は、予熱温水と混合された冷水の流量である。よって、Ｒ３＝Ｒ１＋Ｒ２である。
【００５６】
そして、これら関係式からすると、（Ｔ３−Ｔ２）・Ｒ３は以下のようになる。すなわち、（Ｔ３−Ｔ２）・Ｒ３＝Ｔ３・Ｒ３−Ｔ２・Ｒ３＝{（Ｔ１・Ｒ１）＋（Ｔ２・Ｒ２）}−Ｔ２・Ｒ３＝{（Ｔ１・Ｒ１）＋（Ｔ２・Ｒ２）}−Ｔ２・（Ｒ１＋Ｒ２）＝Ｔ１・Ｒ１−Ｔ２・Ｒ１＝（Ｔ１−Ｔ２）・Ｒ１となる。よって、変形例のように構成したとしても、削減された熱量の算出については問題なく行うことができる。
【００５７】
さらには、本実施形態と図７に示す変形例を組み合わせて、双方により削減された熱量を算出するようにしてもよい。
【００５８】
以上、本実施形態では、太陽熱給湯システムを前提として、削減熱量算出装置を構成するＭＰＵが、その一機能としての流量を算出する手法について説明したが、本発明はこの実施形態に限定されることなく、その発明の範囲において種々の変更が可能であることは言うまでもない。例えば、太陽熱給湯システムへの適用のみならず、流路を流れる液体の流量を検出する手法として広く適用可能であり、前述した流量算出手法を実現する削減熱量算出装置及び流量算出方法そのものが本発明の一部として機能する。
【符号の説明】
【００５９】
１      太陽熱給湯システム
１３      温水管
２      太陽熱温水器
３      混合弁
４      給湯器
５      削減熱量算出装置
５１      第１温度センサ
５２      第２温度センサ
５３      流量センサ
５４      演算表示器
５４ｅ    相関データ記憶部
５４ｆ    流量演算部
５４ｆ１  計測手段
５４ｆ２  演算手段
５４ｇ    削減熱量算出部
５５      家内表示器
【図１】
2013036711.tif 000003
【図２】
2013036711.tif 000004
【図３】
2013036711.tif 000005
【図４】
2013036711.tif 000006
【図５】
2013036711.tif 000007
【図６】
2013036711.tif 000008
【図７】
2013036711.tif 000009